(57)【特許請求の範囲】
【請求項１】
ケーブルテレビジョンサービスに関するコンテンツを配信する加入局または非加入局に設置された配信手段を有する複数のコンテンツ配信装置と、
無線によって複数の前記コンテンツ配信装置の何れかにインターネットまたは専用回線を通じて接続する無線接続手段を有するＣＡＴＶモバイル端末である無線端末装置とよりなり、
前記コンテンツ配信装置は、
課金処理を実行し、利用者データベースを有する課金装置と、
前記無線端末装置と一のコンテンツ配信装置とを前記無線接続手段が接続する際、前記無線端末装置が直前に接続していた他のコンテンツ配信装置を前記無線端末装置の被配信履歴情報から特定し、コンテンツを配信した履歴を表す配信履歴情報の集合である配信履歴ファイルを前記インターネットまたは前記専用回線を通じて前記他のコンテンツ配信装置から移動して保存する配信履歴保存手段と、
自己が配信するコンテンツの配信履歴情報を、前記配信履歴ファイルに加えて前記配信履歴保存手段に記録する配信履歴記録手段とを有し、
前記加入局の前記課金装置は、自らが設置される前記加入局装置が受信した前記配信履歴ファイルの前記配信履歴情報に基づいて、前記課金処理を実行することを特徴とするケーブルテレビジョンシステム。
【請求項２】
加入局装置または非加入局装置の課金サーバーが、
前記配信履歴保存手段が前記配信履歴ファイルに保存した前記配信履歴情報の変更を防止する変更防止手段と、
接続装置情報としてのロケーション情報に基づいて直前に接続されていた他の前記コンテンツ配信装置を判断する直前接続装置判断手段と、
前記配信履歴情報の変更の防止の動作の開始を指令する開始指令情報を、前記直前接続装置判断手段によって判断した前記他のコンテンツ配信装置に送信する指令情報送信手段とを有し、
前記他のコンテンツ配信装置の前記変更防止手段が、前記開始指令情報を受信した際、前記配信履歴保存手段が保存した前記配信履歴情報の変更を防止させる加入局装置または非加入局装置であることを特徴とする請求項１に記載のケーブルテレビジョンシステム。
【発明の詳細な説明】
【０００１】
【発明の属する技術分野】
本発明は、複数のケーブルテレビ局のサービスエリアを移動する無線端末装置にケーブルテレビジョンサービスを提供するケーブルテレビジョンシステム、コンテンツ配信装置、課金装置、無線端末装置、及び、ケーブルテレビジョンサービスの無線提供方法に関する。
【０００２】
【従来の技術】
従来からケーブルテレビジョンサービス（以下、ＣＡＴＶサービスという。）が普及しつつある。このＣＡＴＶサービスでは、難視聴地域や特定地域に対するテレビジョン放送の提供、インターネット等のコンピュータ通信網への接続サービス等が提供されている。
また、コンピュータ網への端末の接続を無線で行なうことも広く知られている。
【０００３】
このＣＡＴＶサービスの放送内容としては、天気予報、交通情報、イベントの開催、音楽、映画等のコンテンツがあり、利用者は、ケーブルテレビ局（以下、ＣＡＴＶ局という。）と契約して車両に搭載された無線端末装置からコンテンツの提供を受け、コンテンツの内容に応じて課金された料金をＣＡＴＶ局に払い込んでいる。
【０００４】
【発明が解決しようとする課題】
しかしながら、このような従来のＣＡＴＶサービスにあっては、配信を受ける端末は固定されている場合が多く、契約したＣＡＴＶ局（以下、加入局という。）のサービスエリアにいる場合、ＣＡＴＶサービスの提供を受けることができるが、無線で接続された端末は移動可能であり、契約していないＣＡＴＶ局（以下、非加入局という。）のサービスエリアに移動した場合、契約がないために移動先のＣＡＴＶサービスの提供を受けることができないという問題があった。
また、非加入局からのＣＡＴＶサービスを受けるたびに加入局に問い合わせをしたのではファイルの移動が頻繁になるという課題があった。
【０００５】
そこで、本発明は、非加入局から無線端末装置にケーブルテレビジョンサービスを提供することができるケーブルテレビジョンシステム、コンテンツ配信装置、課金装置、無線端末装置、及び、ケーブルテレビジョンサービスの無線提供方法を極力少ない通信回数で提供することを目的とする。
【０００６】
【課題を解決するための手段】
上記課題を解決するために、本発明のケーブルテレビジョンシステムは、ケーブルテレビジョンサービスに関するコンテンツを配信する加入局または非加入局に設置された配信手段を有する複数のコンテンツ配信装置と、無線によって複数の前記コンテンツ配信装置の何れかにインターネットまたは専用回線を通じて接続する無線接続手段を有するＣＡＴＶモバイル端末である無線端末装置とよりなり、前記コンテンツ配信装置は、課金処理を実行し、利用者データベースを有する課金装置と、前記無線端末装置と一のコンテンツ配信装置とを前記無線接続手段が接続する際、前記無線端末装置が直前に接続していた他のコンテンツ配信装置を前記無線端末装置の被配信履歴情報から特定し、コンテンツを配信した履歴を表す配信履歴情報の集合である配信履歴ファイルを前記インターネットまたは前記専用回線を通じて前記他のコンテンツ配信装置から移動して保存する配信履歴保存手段と、自己が配信するコンテンツの配信履歴情報を、前記配信履歴ファイルに加えて前記配信履歴保存手段に記録する配信履歴記録手段とを有し、前記加入局の前記課金装置は、自らが設置される前記加入局装置が受信した前記配信履歴ファイルの前記配信履歴情報に基づいて、前記課金処理を実行する構成を有している。
【０００７】
この構成により、本発明のケーブルテレビジョンシステムは、非加入局に設置されたコンテンツ配信装置から無線端末装置にケーブルテレビジョンサービスを提供したとしても、加入局に設置された課金装置が無線端末装置の利用者に料金を請求することができるので、非加入局から無線端末装置にケーブルテレビジョンサービスを提供することができる。
【０００８】
なお、本発明のケーブルテレビジョンシステムは、コンテンツ配信装置が無線端末装置にコンテンツを配信するたびに、コンテンツを配信するコンテンツ配信装置に、コンテンツ配信装置自身が保存する配信履歴ファイルに配信履歴情報を記録させ、課金装置に、コンテンツ配信装置が保存する配信履歴ファイルにコンテンツ配信装置自身が記録した配信履歴情報に基づいて、課金処理を実行させるので、コンテンツ配信装置が無線端末装置にコンテンツを配信するたびに、課金装置にコンテンツ配信装置から配信履歴情報を取得させる必要がない。
【０００９】
したがって、本発明のケーブルテレビジョンシステムは、コンテンツ配信装置が無線端末装置にコンテンツを配信するたびに課金装置にコンテンツ配信装置から配信履歴情報を取得させる場合と比較して、非加入局に設置されたコンテンツ配信装置から無線端末装置にケーブルテレビジョンサービスを提供するときに、加入局に設置された課金装置と、非加入局に設置されたコンテンツ配信装置との通信回数を減少させることができる。
【００１０】
また、本発明のケーブルテレビジョンシステムは、コンテンツ配信装置が無線端末装置に接続されるとき、無線端末装置に接続されるコンテンツ配信装置に、直前に無線端末装置に接続されていた他のコンテンツ配信装置から配信履歴ファイルを取得させて保存させ、課金装置に、複数のコンテンツ配信装置の何れかが保存する配信履歴ファイルの配信履歴情報に基づいて、課金処理を実行させるので、課金装置が課金処理を実行するとき、課金装置に、複数のコンテンツ配信装置の全てから配信履歴ファイルの配信履歴情報を取得させる必要がない。
【００１１】
したがって、本発明のケーブルテレビジョンシステムは、課金装置に複数のコンテンツ配信装置の全てから配信履歴情報を取得させる場合と比較して、非加入局に設置されたコンテンツ配信装置から無線端末装置にケーブルテレビジョンサービスを提供するときに、加入局に設置された課金装置と、非加入局に設置されたコンテンツ配信装置との通信回数を減少させることができる。
【００１２】
また、本発明のケーブルテレビジョンシステムは、加入局装置または非加入局装置の課金サーバーが、前記配信履歴保存手段が前記配信履歴ファイルに保存した前記配信履歴情報の変更を防止する変更防止手段と、接続装置情報としてのロケーション情報に基づいて直前に接続されていた他の前記コンテンツ配信装置を判断する直前接続装置判断手段と、前記配信履歴情報の変更の防止の動作の開始を指令する開始指令情報を、前記直前接続装置判断手段によって判断した前記他のコンテンツ配信装置に送信する指令情報送信手段とを有し、前記他のコンテンツ配信装置の前記変更防止手段が、前記開始指令情報を受信した際、前記配信履歴保存手段が保存した前記配信履歴情報の変更を防止させる加入局装置または非加入局装置である構成を有している。
【００１３】
この構成により、本発明のケーブルテレビジョンシステムは、無線端末装置にコンテンツを配信しているときのみ配信履歴情報を変更できるので、無線端末装置にコンテンツを配信しているとき以外にも配信履歴情報を変更できる場合と比較して、課金に対する信頼度を向上することができる。
【００１４】
【発明の実施の形態】
以下、本発明の実施の形態について、図面を用いて説明する。
【００１５】
（第１の実施の形態）
【００１６】
まず、第１の実施の形態に係るケーブルテレビジョンシステムの構成について説明する。
【００１７】
図１及び図２において、本実施の形態に係るケーブルテレビジョンシステム１００は、車両に搭載され、無線によってＣＡＴＶ局に接続する無線端末装置としてのＣＡＴＶモバイル端末装置２００と、ＣＡＴＶモバイル端末装置２００の利用者が加入するＣＡＴＶ局である加入局に設置され、認証処理のために予め登録される登録認証情報を保存する認証情報登録装置としての加入局装置３００と、ＣＡＴＶモバイル端末装置２００の利用者が加入していないＣＡＴＶ局である別々の非加入局に設置され、ＣＡＴＶサービスに関するコンテンツを配信するコンテンツ配信装置としての非加入局装置４００、５００とを備えている。
【００１８】
ＣＡＴＶモバイル端末装置２００は、無線によって加入局装置３００、非加入局装置４００、５００の何れかに接続する無線接続手段としての送受信装置２１０と、記録媒体であるＩＣカードから情報を読み取るＩＣカードリーダ２２０と、送受信装置２１０を介して受信したコンテンツを表示するディスプレイ２３０と、送受信装置２１０、ＩＣカードリーダ２２０及びディスプレイ２３０を制御するノートパソコンのＣＰＵ部２４０と、エムペグ圧縮（ＭＰＥＧ）フォーマットにて送られてくるＣＡＴＶデジタル映像信号を映像信号に変換するデジタル信号映像変換装置（Ｄ−ＳＴＢ）２５０とを備えている。
【００１９】
なお、ノートパソコンのＣＰＵ部２４０は、利用者によってパスワードなどのデータが入力されるデータ入力機能と、各種情報を記録するメモリ機能とを備えている。
【００２０】
ここで、ＩＣカードに記録された情報と、利用者によってノートパソコンのＣＰＵ部２４０に入力されるパスワードとは、認証処理のために入力される入力認証情報を構成している。
【００２１】
また、ノートパソコンのＣＰＵ部２４０は、入力認証情報を送受信装置２１０によって接続する非加入局装置に送信する認証情報送信手段を構成している。
【００２２】
加入局装置３００は、インターネット又は専用線などの高速通信回線を介して非加入局装置４００、５００に接続するルータ３１０と、登録認証情報を保存する登録情報保存手段としての認証サーバ３２０と、課金処理を実行する課金サーバ３３０とを備えている。
【００２３】
非加入局装置４００、５００は、無線によってＣＡＴＶモバイル端末装置２００に接続する送受信装置４１０、５１０と、インターネット又は専用線などの高速通信回線を介して加入局装置３００や他の非加入局装置に接続するルータ４２０、５２０と、映画、音楽、天気予報、ニュース等の動画データのコンテンツを配信する配信手段としての動画サーバ４３０、５３０と、加入局装置３００の認証サーバ３２０によって保存された登録認証情報を取得して所定の期間（例えば１日間）保存する取得情報保存手段としての認証サーバ４４０、５４０と、課金処理を実行する課金サーバ４５０、５５０と、ＭＰＥＧフォーマットなどのＣＡＴＶデジタル映像信号によってコンテンツを配信する配信手段としてのＣＡＴＶ映像送出装置４６０、５６０とを備えている。
【００２４】
認証サーバ４４０、５４０は、保存した登録認証情報、及び、ＣＡＴＶモバイル端末装置２００のノートパソコンのＣＰＵ部２４０によって送信された入力認証情報に基づいて、ＣＡＴＶモバイル端末装置２００の利用者の認証処理を実行する取得情報認証手段と、ＣＡＴＶモバイル端末装置２００の利用者を認証したとき、送受信装置２１０によって接続されるＣＡＴＶモバイル端末装置２００への動画サーバ４３０、５３０又はＣＡＴＶ映像送出装置４６０、５６０によるコンテンツの配信を許可する配信許可手段と、ＣＡＴＶモバイル端末装置２００のノートパソコンのＣＰＵ部２４０によって送信された入力認証情報を加入局装置３００に転送する認証情報転送手段とを構成している。
【００２５】
また、加入局装置３００の認証サーバ３２０は、保存した登録認証情報、及び、非加入局装置４００、５００の認証サーバ４４０、５４０によって転送された入力認証情報に基づいて、ＣＡＴＶモバイル端末装置２００の利用者の認証処理を実行する転送情報認証手段を構成している。
【００２６】
また、加入局装置３００は、認証サーバ３２０によってＣＡＴＶモバイル端末装置２００の利用者を認証したときのみ、非加入局装置４００に認証処理の結果を送信するようになっている。
【００２７】
また、非加入局装置４００、５００の認証サーバ４４０、５４０は、加入局装置３００の認証サーバ３２０によってＣＡＴＶモバイル端末装置２００の利用者が認証されたとき、加入局装置３００の認証サーバ３２０によって保存された登録認証情報を取得して保存するようになっている。
【００２８】
次に、本実施の形態に係るケーブルテレビジョンシステムの動作について説明する。
【００２９】
加入局装置３００の認証サーバ３２０は、図示していないが、ＣＡＴＶモバイル端末装置２００の利用者の登録認証情報を予め保存する登録情報保存工程を行なう。
【００３０】
図３において、ＣＡＴＶモバイル端末装置２００を搭載する車両が、加入局装置３００が設置されたＣＡＴＶ局のサービスエリアから非加入局装置４００が設置されたＣＡＴＶ局のサービスエリアに移動し（ステップＳ６０１）、ＣＡＴＶモバイル端末装置２００のノートパソコンのＣＰＵ部２４０が、利用者によってログイン要求が入力されると、ＣＡＴＶモバイル端末装置２００のノートパソコンのＣＰＵ部２４０は、送受信装置２１０によって非加入局装置４００の送受信装置４１０に接続する無線接続工程を行ない、接続する非加入局装置４００に入力認証情報（即ち、ＩＣカードリーダ２２０によってＩＣカードから読み取った情報、及び、利用者によって入力されたパスワード）を送信する認証情報送信工程を行なう（ステップＳ６０２）。
【００３１】
非加入局装置４００の認証サーバ４４０は、入力認証情報がＣＡＴＶモバイル端末装置２００によって送受信装置４１０に送信されると、送信された入力認証情報を保存するとともに、保存した入力認証情報に基づいて自身にＣＡＴＶモバイル端末装置２００の利用者が登録されていないことを確認した後、送信された入力認証情報をルータ４２０を介して加入局装置３００に転送して、ＣＡＴＶモバイル端末装置２００の利用者が加入局装置３００に登録されているか否かを確認する（ステップＳ６０３）。
【００３２】
加入局装置３００の認証サーバ３２０は、入力認証情報が非加入局装置４００の認証サーバ４４０によってルータ３１０に転送されると、転送された入力認証情報と、保存した登録認証情報とに基づいて、ＣＡＴＶモバイル端末装置２００の利用者の認証処理を実行し、ＣＡＴＶモバイル端末装置２００の利用者を認証する。
【００３３】
そして、認証サーバ３２０は、非加入局装置４００に認証処理の結果をルータ３１０を介して送信する。
【００３４】
非加入局装置４００の認証サーバ４４０は、加入局装置３００の認証サーバ３２０による認証処理の結果がルータ４２０に送信されると、送信された認証処理の結果に基づいて、加入局装置３００の認証サーバ３２０によってＣＡＴＶモバイル端末装置２００の利用者が認証されたということを判断し、ルータ４２０を介して、加入局装置３００の認証サーバ３２０によって保存された登録認証情報を認証サーバ３２０から取得して（ステップＳ６０４）、保存する（ステップＳ６０５）取得情報保存工程を行なう。
【００３５】
そして、認証サーバ４４０は、サービスの提供が可能であることを送受信装置４１０を介してＣＡＴＶモバイル端末装置２００に通知する（ステップＳ６０６）。
【００３６】
ＣＡＴＶモバイル端末装置２００のノートパソコンのＣＰＵ部２４０は、非加入局装置４００の認証サーバ４４０から送受信装置２１０にサービスの提供が可能であることが通知され、利用者によってコンテンツの受信の要求が入力されると、送受信装置２１０を介して非加入局装置４００に、利用者によって要求されたコンテンツを配信するサービスを利用したいということを通知する（ステップＳ６０７）。
【００３７】
非加入局装置４００は、送受信装置４１０によってＣＡＴＶモバイル端末装置２００からの通知を受信すると、課金サーバ４５０に、コンテンツを配信した履歴を表す配信履歴情報を課金サーバ４５０のローカルデータベースに書き込ませた後（ステップＳ６０８）、動画サーバ４３０又はＣＡＴＶ映像送出装置４６０に、ＣＡＴＶモバイル端末装置２００から通知されたコンテンツを送受信装置４１０を介してＣＡＴＶモバイル端末装置２００に配信する配信工程を実行させることによって、ＣＡＴＶモバイル端末装置２００にサービスを提供する（ステップＳ６０９）。
【００３８】
ＣＡＴＶモバイル端末装置２００のノートパソコンのＣＰＵ部２４０は、送受信装置２１０によって非加入局装置４００の動画サーバ４３０からコンテンツを受信すると、受信したコンテンツをディスプレイ２３０に表示させるとともに、コンテンツが配信された履歴を表す被配信履歴情報を記録する。
【００３９】
また、ＣＡＴＶモバイル端末装置２００のＤ−ＳＴＢ２５０は、送受信装置２１０によって非加入局装置４００のＣＡＴＶ映像送出装置４６０からコンテンツを受信すると、指定ｃｈの信号を受信し、映像変換したコンテンツをディスプレイ２３０に表示させるとともに、ノートパソコンのＣＰＵ部２４０に被配信履歴情報を記録させる。
【００４０】
非加入局装置４００は、ＣＡＴＶモバイル端末装置２００にサービスを提供すると、ルータ４２０を介して加入局装置３００に、ＣＡＴＶモバイル端末装置２００の利用者がサービスを利用したということを通知する（ステップＳ６１０）。
【００４１】
加入局装置３００は、ルータ３１０によって非加入局装置４００からの通知を受信すると、課金サーバ３３０によって、課金サーバ３３０に保存された利用者データベースに配信履歴情報を書き込む（ステップＳ６１１）。
【００４２】
また、ケーブルテレビジョンシステム１００は、ＣＡＴＶモバイル端末装置２００のノートパソコンのＣＰＵ部２４０が、利用者によって再度コンテンツの受信の要求が入力されると、ステップＳ６０７からステップＳ６１１までの処理と同様に、ステップＳ６１２からステップＳ６１６までの処理を実行する。
【００４３】
また、ケーブルテレビジョンシステム１００は、ＣＡＴＶモバイル端末装置２００を搭載する車両が、非加入局装置４００が設置されたＣＡＴＶ局のサービスエリアから非加入局装置５００が設置されたＣＡＴＶ局のサービスエリアに移動すると、ステップＳ６０１からステップＳ６１６までの処理と同様に、図４に示すように、ステップＳ６２１からステップＳ６３６までの処理を実行する。
【００４４】
なお、非加入局装置４００、５００は、図５に示すように、サービスを提供した利用者が加入するＣＡＴＶ局の所属するグループ別に配信履歴情報を纏めている（ステップＳ６４１、ステップＳ６４２）。
【００４５】
加入局装置３００の課金サーバ３３０が、精算バッチを実行し（ステップＳ６４３）、非加入局装置４００、５００及びＣＡＴＶモバイル端末装置２００に利用情報である配信履歴情報及び被配信履歴情報を要求すると（ステップＳ６４４、ステップＳ６４６、ステップＳ６４８）、非加入局装置４００、５００及びＣＡＴＶモバイル端末装置２００は、保存していた配信履歴情報及び被配信履歴情報を加入局装置３００に送信する（ステップＳ６４５、ステップＳ６４７、ステップＳ６４９）。
【００４６】
加入局装置３００の課金サーバ３３０は、非加入局装置４００、５００及びＣＡＴＶモバイル端末装置２００から配信履歴情報及び被配信履歴情報が送信されると、自身が保存していた配信履歴情報と、非加入局装置４００、５００から送信された配信履歴情報と、ＣＡＴＶモバイル端末装置２００から送信された被配信履歴情報とを比較する利用情報マッチングを実行し（ステップＳ６５０）、配信履歴情報と、被配信履歴情報とが不整合であるか否かを判断する（ステップＳ６５１）。
【００４７】
課金サーバ３３０は、配信履歴情報と、被配信履歴情報とが不整合であると判断した場合、ＣＡＴＶモバイル端末装置２００に問い合わせメッセージを通知する（ステップＳ６５２）。
【００４８】
ＣＡＴＶモバイル端末装置２００の利用者が、課金サーバ３３０からＣＡＴＶモバイル端末装置２００に通知された問い合わせメッセージに対して、ＣＡＴＶモバイル端末装置２００のノートパソコンのＣＰＵ部２４０に確認メッセージを入力すると、ＣＡＴＶモバイル端末装置２００は、入力された確認メッセージを加入局装置３００に送信する（ステップＳ６５３）。
【００４９】
加入局装置３００の課金サーバ３３０は、ＣＡＴＶモバイル端末装置２００から送信された確認メッセージによって配信履歴情報に間違いがないということが確認できたか否かを判断し（ステップＳ６５４）、確認できなかったと判断した場合、確認できなかった配信履歴情報に対する課金について個別に対応する（ステップＳ６５５）。
【００５０】
そして、課金サーバ３３０は、ステップＳ６５１において配信履歴情報と被配信履歴情報とが不整合ではないと判断した場合、或いは、ステップＳ６５５において配信履歴情報に間違いがないということが確認できたと判断した場合、ＣＡＴＶモバイル端末装置２００の利用者に、非加入局装置４００、５００によって提供されたサービスの利用料金を請求した後（ステップＳ６５６）、非加入局装置４００、５００との間で精算を実行する（ステップＳ６５７、ステップＳ６５８）。
【００５１】
なお、図示していないが、非加入局装置４００、５００の認証サーバ４４０、５４０は、認証サーバ３２０からステップＳ６０４及びステップＳ６２４において取得した登録認証情報を保存している状態で、ＣＡＴＶモバイル端末装置２００から入力認証情報が送信されると、送信された入力認証情報と、保存している登録認証情報とに基づいて、ＣＡＴＶモバイル端末装置２００の利用者の認証処理を自ら実行する取得情報認証工程を行なって、ＣＡＴＶモバイル端末装置２００の利用者が加入局装置３００に登録されているということを確認する。
【００５２】
そして、非加入局装置４００、５００の認証サーバ４４０、５４０は、取得情報認証工程によってＣＡＴＶモバイル端末装置２００の利用者を認証したとき、ステップＳ６０６及びステップＳ６２６と同様に、ＣＡＴＶモバイル端末装置２００への動画サーバ４３０、５３０又はＣＡＴＶ映像送出装置４６０、５６０によるコンテンツの配信を許可する配信許可工程を行なう。
【００５３】
以上説明したように、ケーブルテレビジョンシステム１００は、非加入局に設置された非加入局装置４００、５００からＣＡＴＶモバイル端末装置２００の利用者の認証処理を実行することができるので、非加入局からＣＡＴＶモバイル端末装置２００にＣＡＴＶサービスを提供することができる。
【００５４】
また、ケーブルテレビジョンシステム１００は、非加入局装置４００、５００に加入局装置３００から登録認証情報を取得させて保存させ、非加入局装置４００、５００に非加入局装置４００、５００自身に保存した登録認証情報に基づいてＣＡＴＶモバイル端末装置２００の利用者の認証処理を実行させるので、ＣＡＴＶモバイル端末装置２００の利用者が非加入局に設置された非加入局装置４００、５００にログインを要求するたびに非加入局に設置された非加入局装置４００、５００から加入局に設置された加入局装置３００に問い合わせる場合と比較して、加入局と非加入局との通信回数を減少させることができる。
【００５５】
また、本実施の形態において、非加入局装置４００、５００の認証サーバ４４０、５４０は、加入局装置３００の認証サーバ３２０によってＣＡＴＶモバイル端末装置２００の利用者が認証されたとき、加入局装置３００の認証サーバ３２０によって保存された登録認証情報を取得して保存するようになっているので、複数のＣＡＴＶ局に問い合わせることができる。
【００５６】
また、本実施の形態において、加入局装置３００は、認証サーバ３２０によってＣＡＴＶモバイル端末装置２００の利用者を認証したときのみ、入力認証情報を転送した非加入局装置に認証処理の結果を送信するようになっているので、ケーブルテレビジョンシステム１００は、非加入局装置４００、５００に複数のＣＡＴＶ局に問い合わせさせたとき、複数のＣＡＴＶ局のうちＣＡＴＶモバイル端末装置２００の利用者の加入局に設置された加入局装置３００のみに、非加入局装置４００、５００に認証処理の結果を送信させるので、複数のＣＡＴＶ局の全てに、非加入局装置４００、５００に認証処理の結果を送信させる場合と比較して、ＣＡＴＶ局間の通信回数を減少させることができる。
【００５７】
なお、認証サーバ４４０、５４０は、ＣＡＴＶモバイル端末装置２００のノートパソコンのＣＰＵ部２４０によって送信された入力認証情報を転送するとき、入力認証情報から転送すべきＣＡＴＶ局を判断することができる場合、判断することができたＣＡＴＶ局のみに入力認証情報を転送し、入力認証情報から転送すべきＣＡＴＶ局を判断することができない場合、加入局及び他の非加入局に転送するようになっていても良い。即ち、認証サーバ４４０、５４０は、ＣＡＴＶモバイル端末装置２００のノートパソコンのＣＰＵ部２４０によって送信された入力認証情報に基づいて、入力認証情報を加入局装置３００に転送するようになっていても良い。
【００５８】
この場合、ケーブルテレビジョンシステム１００は、非加入局装置４００、５００に、入力認証情報からＣＡＴＶモバイル端末装置２００の利用者の加入局を判断させ、ＣＡＴＶモバイル端末装置２００の利用者の加入局に設置された加入局装置３００に入力認証情報を転送させることができるので、非加入局装置４００、５００に複数のＣＡＴＶ局に入力認証情報を転送させる場合と比較して、ＣＡＴＶ局間の通信回数を減少させることができる。
【００５９】
また、本実施の形態において、ケーブルテレビジョンシステム１００は、非加入局装置４００、５００の認証サーバ４４０、４５０に登録認証情報を所定の期間記録させていたので、無期限に記録させる場合と比較して認証処理の安全性を保つことができる。
【００６０】
また、本実施の形態において、ケーブルテレビジョンシステム１００は、入力認証情報がＩＣカードに記録されていたので、認証処理の安全性を保つことができる。
【００６１】
（第２の実施の形態）
【００６２】
まず、第２の実施の形態に係るケーブルテレビジョンシステムの構成について説明する。なお、本実施の形態に係るケーブルテレビジョンシステムの構成は、第１の実施の形態に係るケーブルテレビジョンシステムの構成とほぼ同様であるので、以下に述べる構成を除く構成についての詳細な説明は省略する。
【００６３】
図１及び図６において、本実施の形態に係るケーブルテレビジョンシステム１００の非加入局装置４００、５００の課金サーバ４５０、５５０は、送受信装置２１０によってＣＡＴＶモバイル端末装置２００に接続されるとき、直前に送受信装置２１０によってＣＡＴＶモバイル端末装置２００に接続されていた他の非加入局装置から、配信履歴情報の集合である利用者データベース（配信履歴ファイル）を取得して保存する配信履歴保存手段と、送受信装置２１０によって接続されるＣＡＴＶモバイル端末装置２００に動画サーバ４３０、５３０又はＣＡＴＶ映像送出装置４６０、５６０によってコンテンツを配信するとき、保存した利用者データベースに配信履歴情報を記録する配信履歴記録手段とを構成している。
【００６４】
また、加入局装置３００の課金サーバ３３０は、非加入局装置４００、５００の課金サーバ４５０、５５０によって保存された利用者データベースの配信履歴情報に基づいて、課金処理を実行する課金手段を構成しており、加入局装置３００は、課金装置を構成している。
【００６５】
また、ＣＡＴＶモバイル端末装置２００のノートパソコンのＣＰＵ部２４０は、非加入局装置４００に配信履歴情報の記録方法を指令する記録方法指令情報を入力する指令情報入力手段を構成している。
【００６６】
また、加入局装置３００の課金サーバ３３０は、送受信装置２１０によってＣＡＴＶモバイル端末装置２００に接続された非加入局装置を表す接続装置情報としてのロケーション情報を取得する接続情報取得手段を構成している。
【００６７】
また、加入局装置３００の課金サーバ３３０は、取得したロケーション情報に基づいて、最後に送受信装置２１０によってＣＡＴＶモバイル端末装置２００に接続された非加入局装置を判断する最後接続装置判断手段を構成している。
【００６８】
また、課金サーバ３３０は、最後に送受信装置２１０によってＣＡＴＶモバイル端末装置２００に接続された非加入局装置であると判断した非加入局装置の課金サーバによって保存された利用者データベースの配信履歴情報に基づいて、課金処理を実行するようになっている。
【００６９】
また、非加入局装置４００、５００の課金サーバ４５０、５５０は、送受信装置２１０によって接続されるＣＡＴＶモバイル端末装置２００への動画サーバ４３０、５３０又はＣＡＴＶ映像送出装置４６０、５６０によるコンテンツの配信状況、或いは、ＣＡＴＶモバイル端末装置２００のノートパソコンのＣＰＵ部２４０によって入力された記録方法指令情報に応じて、配信履歴情報を記録するようになっている。
【００７０】
次に、本実施の形態に係るケーブルテレビジョンシステムの動作について説明する。
【００７１】
ケーブルテレビジョンシステム１００は、ＣＡＴＶモバイル端末装置２００を搭載する車両が、加入局装置３００が設置されたＣＡＴＶ局のサービスエリアから非加入局装置４００が設置されたＣＡＴＶ局のサービスエリアに移動すると、図３に示すステップＳ６０１からステップＳ６１６までの処理と同様に、図７に示すように、ステップＳ７０１からステップＳ７１６までの処理を実行する。
【００７２】
但し、本実施の形態に係る非加入局装置４００の課金サーバ４５０は、ステップＳ７０４において、加入局装置３００の課金サーバ３３０からロケーション情報"加入局装置３００"も受信し、ステップＳ７１０及びステップＳ７１５において、ロケーション情報に記録されている加入局装置３００に利用通知を送信し、ステップＳ７１１及びステップＳ７１６において、ロケーション情報に記録されている加入局装置３００に保存されている利用者データベースに配信履歴情報を記録する。
【００７３】
ここで、非加入局装置４００の課金サーバ４５０は、送受信装置２１０によって接続されるＣＡＴＶモバイル端末装置２００への動画サーバ４３０又はＣＡＴＶ映像送出装置４６０によるコンテンツの配信状況が所定の状況になった場合、或いは、ＣＡＴＶモバイル端末装置２００のノートパソコンのＣＰＵ部２４０によって、ＣＡＴＶモバイル端末装置２００の利用者から配信履歴情報の記録方法を変更するように記録方法指令情報が入力された場合、ロケーション情報の更新の要求をルータ４２０を介して加入局装置３００に送信する（ステップＳ７１７）。
【００７４】
加入局装置３００の課金サーバ３３０は、ロケーション情報の更新の要求が非加入局装置４００の課金サーバ４５０によってルータ３１０に送信されると、送信されたロケーション情報の更新の要求に基づいて、ロケーション情報を"加入局装置３００"から"非加入局装置４００"と更新する。
【００７５】
また、非加入局装置４００の課金サーバ４５０は、ロケーション情報の更新の要求を加入局装置３００に送信すると、利用者データベースの配信履歴情報の変更の防止を要求する利用者データベースロック要求をルータ４２０を介して更新前のロケーション情報に記録されていた加入局装置３００に送信する（ステップＳ７１８）。
【００７６】
加入局装置３００の課金サーバ３３０は、利用者データベースロック要求が非加入局装置４００の課金サーバ４５０によってルータ３１０に送信されると、送信された利用者データベースロック要求に基づいて、利用者データベースの配信履歴情報の変更を防止し、利用者データベースをルータ３１０を介して非加入局装置４００の課金サーバ４５０に移動させる（ステップＳ７１９）。
【００７７】
そして、非加入局装置４００の課金サーバ４５０は、移動してきた利用者データベースを保存し、保存した利用者データベースの利用を開始する（ステップＳ７２０）。
【００７８】
ここで、ＣＡＴＶモバイル端末装置２００のノートパソコンのＣＰＵ部２４０は、利用者によってコンテンツの受信の要求が入力されると、送受信装置２１０を介して非加入局装置４００に、利用者によって要求されたコンテンツを配信するサービスを利用したいということを通知する（ステップＳ７２１）。
【００７９】
非加入局装置４００は、ＣＡＴＶモバイル端末装置２００からの通知を送受信装置４１０によって受信すると、課金サーバ４５０に、コンテンツを配信した履歴を表す配信履歴情報を課金サーバ４５０の利用者データベースに書き込ませた後（ステップＳ７２２）、動画サーバ４３０又はＣＡＴＶ映像送出装置４６０に、ＣＡＴＶモバイル端末装置２００から通知されたコンテンツを送受信装置４１０を介してＣＡＴＶモバイル端末装置２００に配信する配信工程を実行させることによって、ＣＡＴＶモバイル端末装置２００にサービスを提供する（ステップＳ７２３）。
【００８０】
また、ケーブルテレビジョンシステム１００は、ＣＡＴＶモバイル端末装置２００を搭載する車両が、非加入局装置４００が設置されたＣＡＴＶ局のサービスエリアから非加入局装置５００が設置されたＣＡＴＶ局のサービスエリアに移動すると、ステップＳ７０１からステップＳ７１６までの処理と同様に、図８に示すように、ステップＳ７３１からステップＳ７４６までの処理を実行する。
【００８１】
但し、非加入局装置４００の課金サーバ４５０は、ステップＳ７３４において、加入局装置３００の課金サーバ３３０からロケーション情報"非加入局装置４００"も受信し、ステップＳ７４０及びステップＳ７４５において、ロケーション情報に記録されている非加入局装置４００に利用通知を送信し、ステップＳ７４１及びステップＳ７４６において、ロケーション情報に記録されている非加入局装置４００に保存されている利用者データベースに配信履歴情報を記録する。
【００８２】
ここで、非加入局装置５００の課金サーバ５５０は、送受信装置２１０によって接続されるＣＡＴＶモバイル端末装置２００への動画サーバ５３０又はＣＡＴＶ映像送出装置５６０によるコンテンツの配信状況が所定の状況になった場合、或いは、ＣＡＴＶモバイル端末装置２００のノートパソコンのＣＰＵ部２４０によって、ＣＡＴＶモバイル端末装置２００の利用者から配信履歴情報の記録方法を変更するように記録方法指令情報が入力された場合、ロケーション情報の更新の要求をルータ５２０を介して加入局装置３００に送信する（ステップＳ７４７）。
【００８３】
加入局装置３００の課金サーバ３３０は、ロケーション情報の更新の要求が非加入局装置５００の課金サーバ５５０によってルータ３１０に送信されると、送信されたロケーション情報の更新の要求に基づいて、ロケーション情報を"非加入局装置４００"から"非加入局装置５００"と更新する。
【００８４】
また、非加入局装置５００の課金サーバ５５０は、ロケーション情報の更新の要求を加入局装置３００に送信すると、利用者データベースの配信履歴情報の変更の防止を要求する利用者データベースロック要求をルータ５２０を介して更新前のロケーション情報に記録されていた非加入局装置４００に送信する（ステップＳ７４８）。
【００８５】
非加入局装置４００の課金サーバ４５０は、利用者データベースロック要求が非加入局装置５００の課金サーバ５５０によってルータ４２０に送信されると、送信された利用者データベースロック要求に基づいて、利用者データベースの配信履歴情報の変更を防止し、利用者データベースをルータ４２０を介して非加入局装置５００の課金サーバ５５０に移動させる（ステップＳ７４９）。
【００８６】
そして、非加入局装置５００の課金サーバ５５０は、移動してきた利用者データベースを保存する配信履歴保存工程を実行し、保存した利用者データベースの利用を開始する（ステップＳ７５０）。
【００８７】
ここで、ＣＡＴＶモバイル端末装置２００のノートパソコンのＣＰＵ部２４０は、利用者によってコンテンツの受信の要求が入力されると、送受信装置２１０を介して非加入局装置５００に、利用者によって要求されたコンテンツを配信するサービスを利用したいということを通知する（ステップＳ７５１）。
【００８８】
非加入局装置５００は、ＣＡＴＶモバイル端末装置２００からの通知を送受信装置５１０によって受信すると、課金サーバ５５０に、コンテンツを配信した履歴を表す配信履歴情報を課金サーバ５５０の利用者データベースに書き込ませる配信履歴記録工程を行なった後（ステップＳ７５２）、動画サーバ５３０又はＣＡＴＶ映像送出装置５６０に、ＣＡＴＶモバイル端末装置２００から通知されたコンテンツを送受信装置５１０を介してＣＡＴＶモバイル端末装置２００に配信する配信工程を実行させることによって、ＣＡＴＶモバイル端末装置２００にサービスを提供する（ステップＳ７５３）。
【００８９】
図９に示すように、加入局装置３００の課金サーバ３３０が、精算バッチを実行し（ステップＳ７６１）、ロケーション情報に記録されている非加入局装置５００に利用情報である配信履歴情報を要求すると（ステップＳ７６２）、非加入局装置５００は、保存していた配信履歴情報を加入局装置３００に送信する（ステップＳ７６３）。
【００９０】
そして、課金サーバ３３０は、ＣＡＴＶモバイル端末装置２００の利用者に、非加入局装置４００、５００によって提供されたサービスの利用料金を請求する課金工程を実行した後（ステップＳ７６４）、非加入局装置４００、５００との間で精算を実行する（ステップＳ７６５、ステップＳ７６６）。
【００９１】
以上説明したように、ケーブルテレビジョンシステム１００は、非加入局に設置された非加入局装置４００、５００からＣＡＴＶモバイル端末装置２００にＣＡＴＶサービスを提供したとしても、加入局に設置された加入局装置３００がＣＡＴＶモバイル端末装置２００の利用者に料金を請求することができるので、非加入局からＣＡＴＶモバイル端末装置２００にＣＡＴＶサービスを提供することができる。
【００９２】
なお、ケーブルテレビジョンシステム１００は、非加入局装置４００、５００がＣＡＴＶモバイル端末装置２００にコンテンツを配信するたびに、コンテンツを配信する非加入局装置４００、５００に、非加入局装置４００、５００自身が保存する利用者データベースに配信履歴情報を記録させ、加入局装置３００に、非加入局装置４００、５００が保存する利用者データベースに非加入局装置４００、５００自身が記録した配信履歴情報に基づいて、課金処理を実行させるので、非加入局装置４００、５００がＣＡＴＶモバイル端末装置２００にコンテンツを配信するたびに、加入局装置３００に非加入局装置４００、５００から配信履歴情報を取得させる必要がない。
【００９３】
したがって、ケーブルテレビジョンシステム１００は、ステップＳ７０７からステップＳ７１６までや、ステップＳ７３７からステップＳ７４６までのように、非加入局装置４００、５００がＣＡＴＶモバイル端末装置２００にコンテンツを配信するたびに加入局装置３００に非加入局装置４００、５００から配信履歴情報を取得させる場合と比較して、ステップＳ７２１からステップＳ７２３までや、ステップＳ７５１からステップＳ７５３までのように、非加入局に設置された非加入局装置４００、５００からＣＡＴＶモバイル端末装置２００にＣＡＴＶサービスを提供するときに、加入局に設置された加入局装置３００と、非加入局に設置された非加入局装置４００、５００との通信回数を減少させることができる。
【００９４】
また、ケーブルテレビジョンシステム１００は、非加入局装置５００がＣＡＴＶモバイル端末装置２００に接続されるとき、非加入局装置５００に、直前にＣＡＴＶモバイル端末装置２００に接続されていた非加入局装置４００から利用者データベースを取得させて保存させ、加入局装置３００に、非加入局装置５００が保存する利用者データベースの配信履歴情報に基づいて、課金処理を実行させるので、加入局装置３００が課金処理を実行するとき、加入局装置３００に、非加入局装置４００、５００の全てから利用者データベースの配信履歴情報を取得させる必要がない。
【００９５】
したがって、ケーブルテレビジョンシステム１００は、加入局装置３００に非加入局装置４００、５００の全てから配信履歴情報を取得させる場合と比較して、非加入局に設置された非加入局装置４００、５００からＣＡＴＶモバイル端末装置２００にＣＡＴＶサービスを提供するときに、加入局に設置された加入局装置３００と、非加入局に設置された非加入局装置４００、５００との通信回数を減少させることができる。
【００９６】
また、本実施の形態において、加入局装置３００の課金サーバ３３０は、ロケーション情報から最後に送受信装置２１０によってＣＡＴＶモバイル端末装置２００に接続された非加入局装置５００を判断し、判断した非加入局装置５００の課金サーバ５５０によって保存された利用者データベースの配信履歴情報に基づいて、課金処理を実行するようになっていたので、最新の配信履歴情報に基づいて課金処理を実行することができる。
【００９７】
また、本実施の形態において、非加入局装置４００、５００の課金サーバ４５０、５５０は、送受信装置２１０によって接続されるＣＡＴＶモバイル端末装置２００への動画サーバ４３０、５３０又はＣＡＴＶ映像送出装置４６０、５６０によるコンテンツの配信状況に応じて、配信履歴情報を記録するようになっていたので、コンテンツの配信状況に応じて配信履歴情報の記録方法を変更することができる。
【００９８】
また、本実施の形態において、非加入局装置４００、５００の課金サーバ４５０、５５０は、ノートパソコンのＣＰＵ部２４０によって入力された記録方法指令情報に応じて、配信履歴情報を記録するようになっていたので、ケーブルテレビジョンシステム１００は、ＣＡＴＶモバイル端末装置２００の利用者に、非加入局装置４００、５００による配信履歴情報の記録方法を指定させることができ、非加入局装置４００、５００に、ＣＡＴＶモバイル端末装置２００の利用者によって指定された記録方法で配信履歴情報を記録させることができる。
【００９９】
なお、ＣＡＴＶモバイル端末装置２００のノートパソコンのＣＰＵ部２４０は、第１の実施の形態に係るノートパソコンのＣＰＵ部２４０と同様に、被配信履歴情報の集合である被配信履歴ファイルを保存する被配信履歴保存手段と、送受信装置２１０によって接続する非加入局装置４００、５００の動画サーバ４３０、５３０又はＣＡＴＶ映像送出装置４６０、５６０によってコンテンツが配信されるとき、保存した被配信履歴ファイルに被配信履歴情報を記録する被配信履歴記録手段とを構成するようにし、加入局装置３００の課金サーバ３３０は、第１の実施の形態に係る課金サーバ３３０と同様に、保存する利用者データベースの配信履歴情報と、ＣＡＴＶモバイル端末装置２００のノートパソコンのＣＰＵ部２４０によって保存された被配信履歴ファイルの被配信履歴情報とに基づいて、コンテンツの配信に関する履歴の正誤を判断する正誤判断手段を構成するようにしても良い。
【０１００】
その場合、ケーブルテレビジョンシステム１００は、コンテンツの配信に関する履歴の誤りを加入局装置３００に検出させることができるので、履歴の誤りを検出させない場合と比較して、課金に対する信頼度を向上することができる。
【０１０１】
更に、加入局装置３００の課金サーバ３３０は、第１の実施の形態に係る課金サーバ３３０と同様に、コンテンツの配信に関する履歴に誤りがあると判断したとき、コンテンツの配信に関する履歴に誤りがあるということを表す問い合わせメッセージ（履歴誤り情報）をＣＡＴＶモバイル端末装置２００に送信する誤り情報送信手段を構成するようにしても良い。
【０１０２】
その場合、ケーブルテレビジョンシステム１００は、加入局装置３００がコンテンツの配信に関する履歴の誤りを検出したとき、加入局装置３００に、コンテンツの配信に関する履歴に誤りがあるということをＣＡＴＶモバイル端末装置２００の利用者に通知させることができるので、履歴に誤りがあるということをＣＡＴＶモバイル端末装置２００の利用者に通知させない場合と比較して、課金に対する信頼度をより向上することができる。
【０１０３】
また、本実施の形態において、非加入局装置４００の課金サーバ４５０は、非加入局装置５００の課金サーバ５５０からの利用者データベースロック要求によって保存した利用者データベースの配信履歴情報の変更を防止していたが、本発明によれば、非加入局装置４００、５００の課金サーバ４５０、５５０は、送受信装置２１０によってＣＡＴＶモバイル端末装置２００への接続が停止されるとき、保存した利用者データベースの配信履歴情報の変更を防止する変更防止手段を構成していれば良い。
【０１０４】
その場合、ケーブルテレビジョンシステム１００は、ＣＡＴＶモバイル端末装置２００にコンテンツを配信している非加入局装置のみに配信履歴情報を変更させるので、ＣＡＴＶモバイル端末装置２００にコンテンツを配信している非加入局装置以外の非加入局装置にも配信履歴情報を変更させる場合と比較して、課金に対する信頼度を向上することができる。
【０１０５】
（第３の実施の形態）
【０１０６】
まず、第３の実施の形態に係るケーブルテレビジョンシステムの構成について説明する。なお、本実施の形態に係るケーブルテレビジョンシステムの構成は、第１の実施の形態に係るケーブルテレビジョンシステムの構成とほぼ同様であるので、以下に述べる構成を除く構成についての詳細な説明は省略する。
【０１０７】
図１及び図１０において、本実施の形態に係るケーブルテレビジョンシステム１００の非加入局装置４００、５００の課金サーバ４５０、５５０は、配信履歴情報の集合であるテンポラリデータベース（配信履歴ファイル）を取得して保存する配信履歴保存手段と、送受信装置２１０によって接続されるＣＡＴＶモバイル端末装置２００に動画サーバ４３０、５３０又はＣＡＴＶ映像送出装置４６０、５６０によってコンテンツを配信するとき、保存したテンポラリデータベースに配信履歴情報を記録する配信履歴記録手段とを構成している。
【０１０８】
また、加入局装置３００の課金サーバ３３０は、非加入局装置４００、５００の課金サーバ４５０、５５０によって保存された複数のテンポラリデータベースの配信履歴情報を集計する履歴集計手段と、集計した配信履歴情報に基づいて課金処理を実行する課金手段とを構成しており、加入局装置３００は、課金装置を構成している。
【０１０９】
また、ＣＡＴＶモバイル端末装置２００のノートパソコンのＣＰＵ部２４０は、被配信履歴情報の集合である被配信履歴ファイルを保存する被配信履歴保存手段と、送受信装置２１０によって接続する非加入局装置４００、５００の動画サーバ４３０、５３０又はＣＡＴＶ映像送出装置４６０、５６０によってコンテンツが配信されるとき、保存した被配信履歴ファイルに被配信履歴情報を記録する被配信履歴記録手段とを構成している。
【０１１０】
また、加入局装置３００の課金サーバ３３０は、集計した配信履歴情報と、ＣＡＴＶモバイル端末装置２００のノートパソコンのＣＰＵ部２４０によって保存された被配信履歴ファイルの被配信履歴情報とに基づいて、コンテンツの配信に関する履歴の正誤を判断する正誤判断手段を構成している。
【０１１１】
また、加入局装置３００の課金サーバ３３０は、コンテンツの配信に関する履歴に誤りがあると判断したとき、コンテンツの配信に関する履歴に誤りがあるということを表す問い合わせメッセージ（履歴誤り情報）をＣＡＴＶモバイル端末装置２００に送信する誤り情報送信手段を構成している。
【０１１２】
また、加入局装置３００の課金サーバ３３０は、送受信装置２１０によってＣＡＴＶモバイル端末装置２００に接続された非加入局装置を表す接続装置情報としてのロケーション情報を取得する接続情報取得手段を構成している。
【０１１３】
また、非加入局装置４００、５００の課金サーバ４５０、５５０は、送受信装置２１０によってＣＡＴＶモバイル端末装置２００に接続されるとき、加入局装置３００の課金サーバ３３０によって取得されたロケーション情報に基づいて、直前に送受信装置２１０によってＣＡＴＶモバイル端末装置２００に接続されていた非加入局装置を判断する直前接続装置判断手段と、動作の開始を指令する開始指令情報を、直前に送受信装置２１０によってＣＡＴＶモバイル端末装置２００に接続されていた非加入局装置として判断した非加入局装置の課金サーバに送信する指令情報送信手段と、他の非加入局装置によって開始指令情報が送信されたとき、保存したテンポラリデータベースの配信履歴情報の変更を防止する変更防止手段とを構成している。
【０１１４】
次に、本実施の形態に係るケーブルテレビジョンシステムの動作について説明する。
【０１１５】
ケーブルテレビジョンシステム１００は、ＣＡＴＶモバイル端末装置２００を搭載する車両が、加入局装置３００が設置されたＣＡＴＶ局のサービスエリアから非加入局装置４００が設置されたＣＡＴＶ局のサービスエリアに移動すると、図３に示すステップＳ６０１からステップＳ６０６までの処理と同様に、図１１に示すように、ステップＳ８０１からステップＳ８０６までの処理を実行する。
【０１１６】
ここで、非加入局装置４００の課金サーバ４５０は、ロケーション情報の更新の要求をルータ４２０を介して加入局装置３００に送信する（ステップＳ８０７）。
【０１１７】
加入局装置３００の課金サーバ３３０は、ロケーション情報の更新の要求が非加入局装置４００の課金サーバ４５０によってルータ３１０に送信されると、送信されたロケーション情報の更新の要求に基づいて、ロケーション情報を"加入局装置３００"から"非加入局装置４００"と更新する。
【０１１８】
また、非加入局装置４００の課金サーバ４５０は、ロケーション情報の更新の要求を加入局装置３００に送信すると、更新前のロケーション情報に記録されていた加入局装置３００に、利用者データベースの配信履歴情報の変更の防止を要求する利用者データベースロック要求をルータ４２０を介して送信する（ステップＳ８０８）。
【０１１９】
加入局装置３００の課金サーバ３３０は、利用者データベースロック要求が非加入局装置４００の課金サーバ４５０によってルータ３１０に送信されると、送信された利用者データベースロック要求に基づいて、利用者データベースの配信履歴情報の変更を防止し、利用者データベースの配信履歴情報の変更の防止が完了したということをルータ３１０を介して非加入局装置４００の課金サーバ４５０に通知する（ステップＳ８０９）。
【０１２０】
そして、非加入局装置４００の課金サーバ４５０は、テンポラリデータベースを作成する配信履歴保存工程を実行する（ステップＳ８１０）。
【０１２１】
ここで、ＣＡＴＶモバイル端末装置２００のノートパソコンのＣＰＵ部２４０は、利用者によってコンテンツの受信の要求が入力されると、送受信装置２１０を介して非加入局装置４００に、利用者によって要求されたコンテンツを配信するサービスを利用したいということを通知する（ステップＳ８１１）。
【０１２２】
非加入局装置４００は、ＣＡＴＶモバイル端末装置２００からの通知を送受信装置４１０によって受信すると、課金サーバ４５０に、コンテンツを配信した履歴を表す配信履歴情報を課金サーバ４５０のテンポラリデータベースに書き込ませる配信履歴記録工程を実行した後（ステップＳ８１２）、動画サーバ４３０又はＣＡＴＶ映像送出装置４６０に、ＣＡＴＶモバイル端末装置２００から通知されたコンテンツを送受信装置４１０を介してＣＡＴＶモバイル端末装置２００に配信する配信工程を実行させることによって、ＣＡＴＶモバイル端末装置２００にサービスを提供する（ステップＳ８１３）。
【０１２３】
また、ケーブルテレビジョンシステム１００は、ＣＡＴＶモバイル端末装置２００を搭載する車両が、非加入局装置４００が設置されたＣＡＴＶ局のサービスエリアから非加入局装置５００が設置されたＣＡＴＶ局のサービスエリアに移動すると、ステップＳ８０１からステップＳ８０６までの処理と同様に、図１２に示すように、ステップＳ８２１からステップＳ８２６までの処理を実行する。
【０１２４】
ここで、非加入局装置５００の課金サーバ５５０は、ロケーション情報の更新の要求をルータ５２０を介して加入局装置３００に送信する（ステップＳ８２７）。
【０１２５】
加入局装置３００の課金サーバ３３０は、ロケーション情報の更新の要求が非加入局装置５００の課金サーバ５５０によってルータ３１０に送信されると、送信されたロケーション情報の更新の要求に基づいて、ロケーション情報を"非加入局装置４００"から"非加入局装置５００"と更新する。
【０１２６】
また、非加入局装置５００の課金サーバ５５０は、ロケーション情報の更新の要求を加入局装置３００に送信すると、加入局装置３００の課金サーバ３３０から更新前のロケーション情報"非加入局装置４００"が通知された後（ステップＳ８２８）、テンポラリデータベースの配信履歴情報の変更の防止を要求するテンポラリデータベースロック要求をルータ５２０を介して更新前のロケーション情報に記録されていた非加入局装置４００に送信する（ステップＳ８２９）。
【０１２７】
非加入局装置４００の課金サーバ４５０は、テンポラリデータベースロック要求が非加入局装置５００の課金サーバ５５０によってルータ４２０に送信されると、送信されたテンポラリデータベースロック要求に基づいて、テンポラリデータベースの配信履歴情報の変更を防止し、テンポラリデータベースの配信履歴情報を送受信装置４１０を介して加入局装置３００の課金サーバ３３０に送信するとともに（ステップＳ８３０）、テンポラリデータベースの配信履歴情報の変更の防止が完了したということをルータ３１０を介して非加入局装置５００の課金サーバ５５０に通知する（ステップＳ８３１）。
【０１２８】
そして、非加入局装置５００の課金サーバ５５０は、テンポラリデータベースを作成する配信履歴保存工程を実行する（ステップＳ８３２）。
【０１２９】
なお、ケーブルテレビジョンシステム１００は、図５に示すステップＳ６４１からステップＳ６５８までの処理と同様に、図１３に示すように、ステップＳ８４１からステップＳ８５８までの処理を実行する。
【０１３０】
但し、本実施の形態において、ステップＳ８５０の利用情報マッチング処理は、加入局装置３００の課金サーバ３３０が、非加入局装置４００、５００の課金サーバ４５０、５５０によって保存された複数のテンポラリデータベースの配信履歴情報を集計する履歴集計工程を含んでいる。
【０１３１】
また、ステップＳ８５６の利用請求処理は、加入局装置３００の課金サーバ３３０が、集計した配信履歴情報に基づいて課金処理を実行する課金工程を含んでいる。
【０１３２】
以上説明したように、ケーブルテレビジョンシステム１００は、非加入局に設置された非加入局装置４００、５００からＣＡＴＶモバイル端末装置２００にＣＡＴＶサービスを提供したとしても、加入局に設置された加入局装置３００がＣＡＴＶモバイル端末装置２００の利用者に料金を請求することができるので、非加入局からＣＡＴＶモバイル端末装置２００にＣＡＴＶサービスを提供することができる。
【０１３３】
なお、ケーブルテレビジョンシステム１００は、非加入局装置４００、５００がＣＡＴＶモバイル端末装置２００にコンテンツを配信するたびに、コンテンツを配信する非加入局装置４００、５００に、非加入局装置４００、５００自身が保存するテンポラリデータベースに配信履歴情報を記録させ、加入局装置３００に、非加入局装置４００、５００が保存するテンポラリデータベースに非加入局装置４００、５００自身が記録した配信履歴情報に基づいて、課金処理を実行させるので、非加入局装置４００、５００がＣＡＴＶモバイル端末装置２００にコンテンツを配信するたびに、加入局装置３００に非加入局装置４００、５００から配信履歴情報を取得させる必要がない。
【０１３４】
したがって、ケーブルテレビジョンシステム１００は、非加入局装置４００、５００がＣＡＴＶモバイル端末装置２００にコンテンツを配信するたびに、加入局装置３００に非加入局装置４００、５００から配信履歴情報を取得させる場合と比較して、非加入局に設置された非加入局装置４００、５００からＣＡＴＶモバイル端末装置２００にＣＡＴＶサービスを提供するときに、加入局に設置された加入局装置３００と、非加入局に設置された非加入局装置４００、５００との通信回数を減少させることができる。
【０１３５】
また、ケーブルテレビジョンシステム１００は、非加入局装置４００、５００のそれぞれに、テンポラリデータベースを保存させ、加入局装置３００に、非加入局装置４００、５００が保存する複数のテンポラリデータベースの配信履歴情報に基づいて、課金処理を実行させるので、第２の実施の形態において示したように、ＣＡＴＶモバイル端末装置２００に接続される非加入局装置４００、５００に、直前にＣＡＴＶモバイル端末装置２００に接続されていた非加入局装置からテンポラリデータベースを取得させる必要がない。
【０１３６】
したがって、ケーブルテレビジョンシステム１００は、ＣＡＴＶモバイル端末装置２００に接続される非加入局装置４００、５００に、直前にＣＡＴＶモバイル端末装置２００に接続されていた非加入局装置からテンポラリデータベースを取得させる場合と比較して、複数の非加入局に設置された非加入局装置同士の通信量を減少させることができる。
【０１３７】
また、本実施の形態において、加入局装置３００の課金サーバ３３０は、集計した配信履歴情報と、ＣＡＴＶモバイル端末装置２００のノートパソコンのＣＰＵ部２４０によって保存された被配信履歴ファイルの被配信履歴情報とに基づいて、コンテンツの配信に関する履歴の正誤を判断するので、ケーブルテレビジョンシステム１００は、コンテンツの配信に関する履歴の誤りを加入局装置３００の課金サーバ３３０に検出させることができ、履歴の誤りを検出させない場合と比較して、課金に対する信頼度を向上することができる。
【０１３８】
更に、加入局装置３００の課金サーバ３３０は、コンテンツの配信に関する履歴に誤りがあると判断したとき、コンテンツの配信に関する履歴に誤りがあるということを表す問い合わせメッセージ（履歴誤り情報）をＣＡＴＶモバイル端末装置２００に送信するので、ケーブルテレビジョンシステム１００は、加入局装置３００がコンテンツの配信に関する履歴の誤りを検出したとき、加入局装置３００に、コンテンツの配信に関する履歴に誤りがあるということをＣＡＴＶモバイル端末装置２００の利用者に通知させることができ、履歴に誤りがあるということをＣＡＴＶモバイル端末装置２００の利用者に通知させない場合と比較して、課金に対する信頼度をより向上することができる。
【０１３９】
また、本実施の形態において、非加入局装置４００、５００の課金サーバ４５０、５５０は、他の非加入局装置によって開始指令情報が送信されたとき、保存したテンポラリデータベースの配信履歴情報の変更を防止するので、ケーブルテレビジョンシステム１００は、ＣＡＴＶモバイル端末装置２００にコンテンツを配信している非加入局装置のみに配信履歴情報を変更させるので、ＣＡＴＶモバイル端末装置２００にコンテンツを配信している非加入局装置以外の非加入局装置にも配信履歴情報を変更させる場合と比較して、課金に対する信頼度を向上することができる。
【０１４０】
なお、非加入局装置４００、５００の課金サーバ４５０、５５０は、第２の実施の形態に係る課金サーバ４５０、５５０と同様に、送受信装置２１０によって接続されるＣＡＴＶモバイル端末装置２００への動画サーバ４３０、５３０又はＣＡＴＶ映像送出装置４６０、５６０によるコンテンツの配信状況に応じて、配信履歴情報を記録するようになっていても良い。
【０１４１】
その場合、ケーブルテレビジョンシステム１００は、非加入局装置４００、５００に、コンテンツの配信状況に応じて配信履歴情報の記録方法を変更させることができる。
【０１４２】
また、ＣＡＴＶモバイル端末装置２００のノートパソコンのＣＰＵ部２４０は、第２の実施の形態に係るノートパソコンのＣＰＵ部２４０と同様に、非加入局装置４００に配信履歴情報の記録方法を指令する記録方法指令情報を入力する指令情報入力手段を構成するようにし、非加入局装置４００、５００の課金サーバ４５０、５５０は、第２の実施の形態に係る課金サーバ４５０、５５０と同様に、ＣＡＴＶモバイル端末装置２００のノートパソコンのＣＰＵ部２４０によって入力された記録方法指令情報に応じて、配信履歴情報を記録するようになっていても良い。
【０１４３】
その場合、ケーブルテレビジョンシステム１００は、ＣＡＴＶモバイル端末装置２００の利用者に、非加入局装置４００、５００による配信履歴情報の記録方法を指定させることができ、非加入局装置４００、５００に、ＣＡＴＶモバイル端末装置２００の利用者によって指定された記録方法で配信履歴情報を記録させることができる。
【０１４４】
なお、非加入局装置４００、５００は、上述した各実施の形態において、一度ＣＡＴＶモバイル端末装置２００の利用者を認証すると、ＣＡＴＶモバイル端末装置２００にコンテンツを配信するサービスを複数回提供することができるようになっていたが、ＣＡＴＶモバイル端末装置２００にコンテンツを配信するサービスを提供するたびに、ＣＡＴＶモバイル端末装置２００の利用者の認証処理を実行するようにすることもできる。
【０１４５】
例えば、第１の実施の形態における非加入局装置４００は、図３に示す処理の代わりに、図１４に示す処理を実行することができる。図１４において、非加入局装置４００は、加入局装置３００の認証サーバ３２０によって送信された認証処理の結果に基づいて認証サーバ３２０によってＣＡＴＶモバイル端末装置２００の利用者が認証されたということを判断した後（ステップＳ６０３ａ）、認証サーバ３２０によって保存された登録認証情報を保存することなく、ＣＡＴＶモバイル端末装置２００から通知を受信するたびに（ステップＳ６０７、ステップＳ６１２）、認証サーバ３２０にＣＡＴＶモバイル端末装置２００の利用者の認証処理を実行させることができる（ステップＳ６０７ａ、ステップＳ６０７ｂ、ステップＳ６１２ａ、ステップＳ６１２ｂ）。
【０１４６】
非加入局装置４００、５００は、ＣＡＴＶモバイル端末装置２００にコンテンツを配信するサービスを提供するたびに、ＣＡＴＶモバイル端末装置２００の利用者の認証処理を実行すると、一度ＣＡＴＶモバイル端末装置２００の利用者を認証することによって、ＣＡＴＶモバイル端末装置２００にコンテンツを配信するサービスを複数回提供することができる場合と比較して、ＣＡＴＶモバイル端末装置２００の利用者の認証処理の信頼性を向上することができる。
【０１４７】
【発明の効果】
以上説明したように、本発明によれば、非加入局から無線端末装置にケーブルテレビジョンサービスを提供することができるケーブルテレビジョンシステム、コンテンツ配信装置、課金装置、無線端末装置、及び、ケーブルテレビジョンサービスの無線提供方法を提供することができ、また配信履歴情報の通信回数を減少させることができる。
【図面の簡単な説明】
【図１】  本発明の第１の実施の形態に係るケーブルテレビジョンシステムのブロック図
【図２】  本発明の第１の実施の形態に係るケーブルテレビジョンサービスの無線提供方法の概要を示す図
【図３】  図２に示すケーブルテレビジョンサービスの無線提供方法の手順を示す図
【図４】  図３に示すケーブルテレビジョンサービスの無線提供方法の手順の続きを示す図
【図５】  図４に示すケーブルテレビジョンサービスの無線提供方法の手順の続きを示す図
【図６】  本発明の第２の実施の形態に係るケーブルテレビジョンサービスの無線提供方法の概要を示す図
【図７】  図６に示すケーブルテレビジョンサービスの無線提供方法の手順を示す図
【図８】  図７に示すケーブルテレビジョンサービスの無線提供方法の手順の続きを示す図
【図９】  図８に示すケーブルテレビジョンサービスの無線提供方法の手順の続きを示す図
【図１０】  本発明の第３の実施の形態に係るケーブルテレビジョンサービスの無線提供方法の概要を示す図
【図１１】  図１０に示すケーブルテレビジョンサービスの無線提供方法の手順を示す図
【図１２】  図１１に示すケーブルテレビジョンサービスの無線提供方法の手順の続きを示す図
【図１３】  図１２に示すケーブルテレビジョンサービスの無線提供方法の手順の続きを示す図
【図１４】  図３に示すケーブルテレビジョンサービスの無線提供方法の手順の他の例を示す図
【符号の説明】
１００      ケーブルテレビジョンシステム
２００      ＣＡＴＶモバイル端末装置（無線端末装置）
２１０      送受信装置（無線接続手段）
２４０      ノートパソコンのＣＰＵ部（被配信履歴保存手段、被配信履歴記録手段、指令情報入力手段、認証情報送信手段）
２５０      Ｄ−ＳＴＢ
３００      加入局装置（課金装置、認証情報登録装置）
３２０      認証サーバ（登録情報保存手段）
３３０      課金サーバ（課金手段、正誤判断手段、接続情報取得手段、最後接続装置判断手段、履歴集計手段、誤り情報送信手段）
４００      非加入局装置（コンテンツ配信装置）
４３０      動画サーバ（配信手段）
４４０      認証サーバ（取得情報保存手段、取得情報認証手段、配信許可手段、認証情報転送手段、転送情報認証手段）
４５０      課金サーバ（配信履歴保存手段、配信履歴記録手段、変更防止手段、直前接続装置判断手段、指令情報送信手段）
４６０      ＣＡＴＶ映像送出装置（配信手段）
５００      非加入局装置（コンテンツ配信装置）
５３０      動画サーバ（配信手段）
５４０      認証サーバ（取得情報保存手段、取得情報認証手段、配信許可手段、認証情報転送手段、転送情報認証手段）
５５０      課金サーバ（配信履歴保存手段、配信履歴記録手段、変更防止手段、直前接続装置判断手段、指令情報送信手段）
５６０      ＣＡＴＶ映像送出装置（配信手段）
【図１】
0003936205.tif 000002
【図２】
0003936205.tif 000003
【図３】
0003936205.tif 000004
【図４】
0003936205.tif 000005
【図５】
0003936205.tif 000006
【図６】
0003936205.tif 000007
【図７】
0003936205.tif 000008
【図８】
0003936205.tif 000009
【図９】
0003936205.tif 000010
【図１０】
0003936205.tif 000011
【図１１】
0003936205.tif 000012
【図１２】
0003936205.tif 000013
【図１３】
0003936205.tif 000014
【図１４】
0003936205.tif 000015